(57)【要約】  本発明は、マルチメディアブロードキャスト及びマルチキャストサービス（MBMS）における論理チャネル識別子伝送方法を開示した。当該方法は、発展型ノードB（eNB）がシステムブロードキャストメッセージを介して、ユーザ端末（UE）へMBMS制御チャネル（MCCH）をキャリーする無線フレーム或いは無線サブフレームを示すステップ（１０１）と、UEが無線フレーム或いは無線サブフレームからメディアアクセス制御（MAC）ヘッダのコンテンツを読み取って、MACヘッダのコンテンツに応じて論理チャネルのタイプを識別し、MACサービスデータユニット（SDU）からデータを読み取るステップ（１０２）とを含む。本発明は、MBMSにおける論理チャネル識別子伝送システムも開示した。本発明によれば、複数の異なるタイプのMBMSにおける論理チャネルがMACプロトコルデータユニット（PDU）上で多重化する場合、UEは、論理チャネルのタイプを正確に識別することができる。
2012531135.tif 000002
【特許請求の範囲】
【請求項１】
マルチメディアブロードキャスト及びマルチキャストサービス（MBMS）における論理チャネル識別子伝送方法であって、
発展型ノード（eNB）は、システムブロードキャストメッセージを介して、ユーザ端末（UE）へMBMS制御チャネル（MCCH）をキャリーする無線フレーム或いは無線サブフレームを示すステップと、
UEは、前記無線フレーム或いは無線サブフレームからメディアアクセス制御MACヘッダのコンテンツを読み取って、前記MACヘッダのコンテンツに応じて論理チャネルのタイプを識別し、前記MACサービスデータユニット（SDU）からデータを読み取るステップとを含むことを特徴とする伝送方法。
【請求項２】
前記UEは、MACヘッダにおけるMBMSサービス識別子或いは論理チャネル識別子（LCID）に基づいて論理チャネルのタイプを識別するステップをさらに含むことを特徴とする
請求項１に記載のMBMSにおける論理チャネル識別子伝送方法。
【請求項３】
前記UEがMBMSサービス識別子に基づいて論理チャネルのタイプを識別するステップは、具体的には、
前記MBMSサービス識別子が１１１１である場合、相応の論理チャネルのタイプをMCCHに確定し、
前記MBMSサービス識別子が００００〜１１１０である場合、相応の論理チャネルのタイプをマルチキャスト伝送チャンネル（MTCH）に確定することを特徴とする
請求項２に記載のMBMSにおける論理チャネル識別子伝送方法。
【請求項４】
前記UEがLCIDに基づいて論理チャネルのタイプを識別するステップは、具体的には、
前記LCIDが０００００である場合、相応の論理チャネルのタイプをMCCHに確定し、
前記LCIDが１１１１１である場合、相応のコンテンツをパッディング部分に確定することを特徴とする
請求項２に記載のMBMSにおける論理チャネル識別子伝送方法。
【請求項５】
前記MAC SDUからデータを読み取るステップは、具体的には、
前記MACヘッダにおけるMACデータセグメント長のフィールドに基づいて、論理チャネルのタイプに対応するデータがMAC SDUに存在する位置を確定し、さらに前記位置からデータを読み取ることを特徴とする
請求項３又は請求項４に記載のMBMSにおける論理チャネル識別子伝送方法。
【請求項６】
MBMSにおける論理チャネル識別子伝送システムであって、
システムブロードキャストメッセージを介して、UEへMCCHをキャリーする無線フレーム或いは無線サブフレームを示すeNBと、
前記無線フレーム或いは前記無線サブフレームからMACヘッダのコンテンツを読み取って、前記MACヘッダのコンテンツに応じて論理チャネルのタイプを識別し、MAC  SDUからデータを読み取るUEとを備える伝送システム。
【請求項７】
前記UEは、MACヘッダにおけるMBMSサービス識別子或いはLCIDに基づいて論理チャネルのタイプを識別することにさらに用いられることを特徴とする
請求項６に記載のMBMSにおける論理チャネル識別子伝送システム。
【請求項８】
前記UEは、前記MBMSサービス識別子が１１１１である場合、相応の論理チャネルのタイプをMCCHに確定し、前記MBMSサービス識別子が００００〜１１１０である場合、相応の論理チャネルのタイプをMTCHに確定することにさらに用いられることを特徴とする
請求項７に記載のMBMSにおける論理チャネル識別子伝送システム。
【請求項９】
前記UEは、前記LCIDが ０００００である場合、相応の論理チャネルのタイプをMCCHに確定し、前記LCIDが１１１１１である場合、相応のコンテンツをパッディング部分に確定することにさらに用いられることを特徴とする
請求項７に記載のMBMSにおける論理チャネル識別子伝送システム。
【請求項１０】
前記UEは、前記MACヘッダにおけるMACデータセグメント長のフィールドに応じて、論理チャネルのタイプに対応するデータがMAC SDUに存在する位置を確定し、前記位置からデータを読み取ることにさらに用いられることを特徴とする
請求項８又は請求項９に記載のMBMSにおける論理チャネル識別子伝送システム。
【発明の詳細な説明】
【技術分野】
【０００１】
本発明は、ロングタームエボリューション（ＬＴＥ：Long Term Evolution）システムにおけるマルチメディアブロードキャスト及びマルチキャストサービス（ＭＢＭＳ：Multimedia Broadcast Multicast Service）制御シグナリング伝送技術に関し、特に、MBMSにおける論理チャネル識別子（identifier）伝送方法及びシステムに関する。
【背景技術】
【０００２】
インターネットの急速な発展に伴い、例えば、ビデオ会議、テレビ放送、ビデオオンデマンド、広告、オンライン教育、インタラクティブゲーム等の多数の移動データマルチメディアサービス及び様々な高帯域幅のマルチメディアサービスが現れてきている。これらのサービスは、サービスの移動加入者の要求に次々と応えており、移動オペレータのビジネスに新たな成長点をもたらす。これらの移動データマルチメディアサービスでは、複数の加入者が同時に同じデータを受信することができることを必要とされており、一般的なデータサービスに比べ、データ量が大きく、継続時間が長く、時間遅延の影響を受けやすい等の特徴を有する。
【０００３】
移動ネットワークリソースを有効活用するために、第３世代パートナーシッププロジェクト（３ＧＰＰ：３rd Generation Partnership Project）によってMBMSが提案されている。当該サービスは、１つのデータソースから複数のターゲットにデータを転送する技術であり、これによって、ネットワーク（コアネットワーク及びアクセスネットワークを含む）リソースの共有が実現し、ネットワークリソース、特に無線インターフェースリソースの利用率が向上する。３ＧＰＰによって定義されているＭＢＭＳは、低速のプレーンテキストメッセージのブロードキャスト及びマルチキャストを実現するだけではなく、高速マルチメディアサービスのブロードキャスト及びマルチキャストも実現でき、豊かなビデオ、オーディオ及びマルチメディアサービスを提供し、これが未来の移動データ発展の傾きに乗せて、第三世代移動通信技術（３Ｇ：The ３rd Generation）の発展によりよいサービス見通しを提供する。
【０００４】
第９版（Rel-9）のロングタームエボリューション（LTE）においてMBMS制御チャネル（ＭＣＣＨ：Multicast Control Channel）の設計は、階層構造を採用しない、すなわち、ＭＢＭＳ単一周波数ネットワーク（MBSFN：Multicast/Broadcast over Single Frequency Network）領域に１つだけのMCCHがあって、ブロードキャスト制御チャネル（ＢＣＣＨ：Broadcast Control Channel）がMCCHの位置情報リソースを指示する。
【０００５】
LTE  MBMSでは、メディアアクセスコントロール（ＭＡＣ：Media Access Control）層がネットワーク側で提供するサービスと機能は、スケジューリング、論理チャネルの多重化及びサービス識別子などを含み、MAC層が端末側で提供するサービスと機能は、論理チャネルの逆多重化とサービス識別子の読取などを含む。その中に、論理チャネル多重化は、MCCHの多重化とマルチキャスト伝送チャネル（ＭＴＣＨ：Multicast Traffic Channel）の多重化とを含み、LTEプロトコールにMCCHとMTCHが同じMACプロトコルデータユニット（ＰＤＵ：Protocol Data Unit）で多重化することができると規定する。しかしながら、MCCHとMTCHが多重化する場合、ユーザ端末（ＵＥ：User Equipment）がどのように論理チャネルのタイプ（ＭＣＣＨ、ＭＴＣＨ等を含む）を識別するかの問題に対して、従来の技術では、まだ有効的な解決策が提供されなく、これにより、複数の異なるタイプのMBMS論理チャネルがMAC PDUで多重化する場合、UEは、論理チャネルのタイプを正確に識別できないことをもたらし、これによって、サービスを正常に実行することもできなくて、実際のアプリケーションに不便となる。
【発明の概要】
【発明が解決しようとする課題】
【０００６】
これに鑑みてなられるものであり、本発明に係る主な目的は、従来の技術において、複数の異なるタイプのMBMS論理チャネルがMAC PDUで多重化する場合、UEが論理チャネルのタイプを正確に識別できない問題を解決するように、MBMSにおける論理チャネル識別子伝送方法及びシステムを提供することにある。
【課題を解決するための手段】
【０００７】
本発明の技術的なスキームは、以下のように実現される。
【０００８】
本発明に係るマルチメディアブロードキャスト及びマルチキャストサービス（MBMS）における論理チャネル識別子伝送方法は提供される。当該方法は、
発展型ノード（eNB）が、システムブロードキャストメッセージを介して、ユーザ端末（UE）へMBMS制御チャネル（MCCH）をキャリーする無線フレーム或いは無線サブフレームを示すステップと、
UEが前記無線フレーム或いは無線サブフレームからメディアアクセス制御MACヘッダのコンテンツを読み取って、前記MACヘッダのコンテンツに応じて論理チャネルのタイプを識別し、MACサービスデータユニット（SDU）からデータを読み取るステップとを含む。
【０００９】
当該方法には、前記UEは、MACヘッダにおけるMBMSサービス識別子或いは論理チャネル識別子（LCID）に基づいて論理チャネルのタイプを識別するステップをさらに含む。
【００１０】
前記UEがMBMSサービス識別子に基づいて論理チャネルのタイプを識別するステップは、具体的には、
前記MBMSサービス識別子が１１１１である場合、相応の論理チャネルのタイプをMCCHに確定し、
前記MBMSサービス識別子が００００〜１１１０である場合、相応の論理チャネルのタイプをマルチキャスト伝送チャンネル（MTCH）に確定する。
【００１１】
前記UEがLCIDに基づいて論理チャネルを識別するステップは、具体的には、
前記LCIDが０００００である場合、相応の論理チャネルのタイプをMCCHに確定し、
前記LCIDが１１１１１である場合、相応のコンテンツをパッディング部分に確定する。
【００１２】
前記MAC SDUからデータを読み取るステップは、具体的には、
前記MACヘッダにおけるMACデータセグメント長のフィールドに基づいて、論理チャネルのタイプに対応するデータがMAC SDUに存在する位置を確定し、さらに前記位置からデータを読み取る。
【００１３】
本発明に係るMBMSにおける論理チャネル識別子伝送システムが提供される。当該システムは、
システムブロードキャストメッセージを介して、MCCHをキャリーする無線フレーム或いは無線サブフレームを示すことに用いられるeNBと、
前記無線フレーム或いは前記無線サブフレームからMACヘッダのコンテンツを読み取って、前記MACヘッダのコンテンツに応じて論理チャネルのタイプを識別し、MAC  SDUからデータを読み取ることに用いられるUEとを備える。
【００１４】
前記UEは、MACヘッダにおけるMBMSサービス識別子あるいはLCIDに基づいて論理チャネルタイプを識別することにさらに用いられる。
【００１５】
前記UEは、前記MBMSサービス識別子が１１１１である場合、相応の論理チャネルのタイプをMCCHに確定し、前記MBMSサービス識別子が００００〜１１１０である場合、相応の論理チャネルのタイプをMTCHに確定することにさらに用いられる。
【００１６】
前記UEは、前記LCIDが ０００００である場合、相応の論理チャネルのタイプをMCCHに確定し、前記LCIDが１１１１１である場合、相応のコンテンツをパッディング部分に確定することにさらに用いられる。
【００１７】
前記UEは、前記MACヘッダにけるMACデータセグメント長のフィールドに基づいて、論理チャネルのタイプに対応するデータがMAC SDUに存在する位置を確定し、さらに前記位置からデータを読み取ることにさらに用いられる。
【００１８】
本発明に係るMBMSにおける論理チャネル識別子伝送方法及びシステムによれば、eNBがシステムブロードキャストメッセージを介して、MCCHをキャリーする無線フレーム或いは無線サブフレームを示す場合、UEは、無線フレーム或いは無線サブフレームからMACヘッダのコンテンツを読み取って、MACヘッダにけるMBMSサービス識別子或いはLCIDに基づいて論理チャネルのタイプを識別し、相応のMAC  SDUからデータを読み取る。本発明によれば、複数の異なるタイプのMBMS論理チャネルがMAC PDUで多重化する場合、UEが論理チャネルのタイプを正確に識別できることを実現して、業務の正常な実行を保証し、実際のアプリケーションに便利となるである。
【図面の簡単な説明】
【００１９】
【図１】本発明に係るMBMSにおける論理チャネル識別子伝送方法を示すフローチャートである。
【図２】本発明におけるネットワーク側のMACサブ層の構造図である。
【図３】本発明における端末側のMACサブ層の構造図である。
【図４】本発明に係る実施例一のMACサブヘッダの構造図である。
【図５】本発明に係る実施例二のMACサブヘッダの構造図である。
【図６】本発明に係るMBMSにおける論理チャネル識別子伝送システムのアーキテクチャである。
【発明を実施するための形態】
【００２０】
以下、図面と具体的な実施例を参照して本発明の技術的なスキームをさらに詳述する。
【００２１】
本発明に係るMBMSにおける論理チャネル識別子伝送方法であって、図１に示すように、主に以下のステップを含む。
【００２２】
ステップ１０１、発展型ノード（eNB：Evolved Node B）は、システムブロードキャストメッセージを介して、UEへMCCHをキャリーする無線フレーム或いは無線サブフレームを示す。
【００２３】
eNBは、システムブロードキャストメッセージに、MCCHをキャリーする無線フレーム或いは無線サブフレームの位置情報をUEに送信する。
【００２４】
ステップ１０２、UEは、無線フレーム或いは無線サブフレームからMACヘッダのコンテンツを読み取って、前記MACヘッダのコンテンツに応じて論理チャネルのタイプを識別し、相応のMACサービスデータユニット（SDU：Service Data Unit）からデータを読み取る。
【００２５】
１つの簡単な応用場面、すなわち、MCCHとMTCH だけの2種類の論理チャネルがMACサブ層で多重化する場合を考慮し、この応用場面について、MBMSサービス識別子（MBMS service ID）を採用してMCCHとMTCHを分けて識別することができる。MBMSサービスIDの長さが４bitsであり、１１１１が保持値であるため、１１１１でMCCHを指示することを考慮することができる。具体的には、
発展型ユニバーサル陸上無線アクセス（E-UTRA：Evolved Universal Telecommunication Radio Access）には、UEにあるMACエンティティと発展型ユニバーサル陸上無線アクセスネットワークE-UTRAN（Evolved Universal Terrestrial Radio Access Network）にあるMACエンティティとが2つ定義される。ネットワーク側のダウンリンクのMACサブ層の構造は、図２に示すようなものであり、UE側のMACサブ層の構造は、図３に示すものである。サービスアクセスポイント（SAP：Service Access Point）が異なるサブ層の間のチャネルのタイプを表示し、MACサブ層と層１との間のSAPは、伝送チャネルであり、MACサブ層と無線リンク制御（RLC：Radio Link Control）との間のSAPは、論理チャネルであり、図におけるマルチキャストスケジューリングチャネル（MSCH：Multicast Scheduling Channel）、MCCH、MTCHは、MBMSの論理チャネルであり、マルチキャストチャネル（ＭＣＨ：Multicast Channel）、ダウンリンク共有チャネル（ＤＬ−ＳＣＨ：DownLink-Shared Channel）は、伝送チャネルであり、MACサブ層が伝送チャネルと論理チャネルとの間のマッピングを実現する。MAC PDUは、 MACヘッダ、MAC SDU、及びMAC制御要素（MAC control element）等から構成される。ハイブリッド自動再送要求（HARQ：Hybrid Automatic Repeat reQuest）実体は、MACデータ消失再送制御を担当する。
【００２６】
eNBは、論理チャネルのタイプに応じて、MACヘッダにおいて相応のMBMS  service IDを設定し、MACヘッダが図４に示すような複数のMACサブヘッダによって配列構成されているものであり、その中、１１１１が、MAC SDUに対応する論理チャネルのタイプがMCCHであることを示し、１１１１以外の他の値（００００〜１１１０）が、異なるMTCHを示す。
【００２７】
MAC拡張（E：Extension）フィールドは、MACサブヘッダにMACデータセグメント長の指示フィールドを含むかどうかを識別し、E = １である場合、MACヘッダが拡張されることを示し、すなわち、MACサブヘッダにMACデータセグメント長の指示フィールドを含むことを示し、E = １ではない場合、MACヘッダが拡張されないことを示し、すなわち、MACサブヘッダにMACデータセグメント長の指示フィールドを含まないことを示す。
【００２８】
DL − SCH上のMACヘッダと一致に保持するために、MACデータセグメント長の指示フィールドは、１５bits或いは７bitsであってよい、具体的な値がMACサブヘッダにおけるF（Flag）フラグビットによって確定されることができ、F = １:  １５Bits、F = ０:  ７bits。MACデータセグメント長の指示フィールドは、MAC PDUにおける異なるMAC SDUの境界確定処理を実現することに用いられる。MAC control elementに対して、MACのヘッダは、MAC SDUと同じフィールド長の指示（７bits或いは１５bits）を採用する。 R（Reserved）は、保留ビットである。
【００２９】
UEは、システムブロードキャストメッセージを介して、MCCHが無線フレーム或いは無線サブフレームに存在する位置を取得し、当該無線フレーム或いは無線サブフレームからMACヘッダのMBMS service IDフィールドを読み取り、すなわち、各MACサブヘッダのMBMSサービスIDのフィールドをそれぞれ読み取る。MBMSサービスID = １１１１である場合、MAC SDUに対応する論理チャネルがMCCHであることを示し、、UEは、相応のMACサブヘッダのMACのデータセグメント長に基づいてMAC SDUからMCCHにおける制御情報を読み取ることができ、MBMSサービスID = ００００〜１１１０である場合、MAC SDUに対応する論理チャネルがMTCHであることを示し、UEは、相応のMACサブヘッダのMACデータセグメント長に基づいてMAC SDUから相応のサービス情報を読み取ることができる。
【００３０】
１つの発展型の応用場面、すなわち、複数の異なるMBMS論理チャネルがMACサブ層で多重化する可能性があると考慮する。例えば、UTRA MBMSにおいて、マルチキャスト論理チャネルのタイプで、マルチキャストサービスの動的スケジューリング情報を示すマルチキャストスケジューリングチャネル（ＭＳＣＨ：Multicast Schedule Channel）がある。LTE Rel - ９ MBMSは、現時点に、まだ、MSCHを採用して動的なスケジューリング情報を示すかどうかを確定していない、MSCHを採用しない場合、MACサブ層におけるMAC control elementを採用してMBMSの動的なスケジューリング情報を示すこともでき、MAC control elementがMACヘッダの後、MAC SDUの前に位置する。 MACヘッダにとって、どのような実現方式を採用することに関わらず、LCIDに示される必要がある。これによって、このような応用場面に対して、LCIDを採用してMCCH、MTCH、MSCH等を分けて識別することができる。具体的には、
eNBは、論理チャネルのタイプを応じて、MACヘッダにおいて相応のLCIDを設定し、MACヘッダが複数の図５に示されるMACサブヘッダから配列構成され、LCIDの設定が、下記の表に応じて行う。
【表１】
2012531135.tif 000003
【００３１】
ここで、LCID = ０００００である場合、論理チャネルのタイプがMCCHであることを示し、LCID = ００００１である場合、論理チャネルのタイプがMSCH又はMBMSスケジューリング情報を含むMAC制御要素（MAC control element including MBMS scheduling information）であることを示し、LCID = ０００１０〜１１１１０である場合、論理チャネルのタイプがMTCHであることを示し、 LCID = １１１１１である場合、パディング指示を示す。
【００３２】
MAC拡張Eフィールドは、MACサブヘッダにMACデータセグメント長の指示フィールドを含むかどうかを識別することに用いられ、E = １である場合、MACヘッダが拡張されていることを示し、すなわち、MACサブヘッダにMACデータセグメント長の指示フィールドを含み、E = １ではない場合、MACヘッダが拡張されないことを示し、すなわち、MACサブヘッダにMACデータセグメント長の指示フィールドを含まない。
【００３３】
DL - SCH上のMACヘッダと一致に保持するために、MACデータセグメント長の指示フィールドは、１５bits或いは７bitsであってよい、具体的な値がMACサブヘッダにおけるF（Flag）フラグビットによって確定されることができ、F = １:  １５Bits、F = ０:  ７bits。MACデータセグメント長の指示フィールドは、MAC PDUにおける異なるMAC SDUの境界確定処理を実現することに用いられる。MAC control elementに対して、MACヘッダは、MAC SDUと同じフィールド長の指示（７bits或いは１５bits）を採用する。 R（Reserved）は、保留ビットである。
【００３４】
UEは、システムブロードキャストメッセージに応じて、MCCHが無線フレーム或いは無線サブフレームに存在する位置を取得し、この無線フレーム或いは無線サブフレームからMACヘッダのLCIDフィールドを読み取り、すなわち、各MACサブヘッダのLCIDフィールドをそれぞれ読み取る。LCID = ０００００である場合、MAC SDUにおいて相応の論理チャネルのタイプがMCCHであることを示し、さらに相応のMACサブヘッダのMACのデータセグメント長に応じて、MAC SDUからMCCHのコンテンツを読み取ることができる。LCID = ００００１である場合、論理チャネルのタイプがMSCH或いはMAC control element including MBMS scheduling informationであることを示し、さらに相応のMACサブヘッダのMACのデータセグメント長に応じて、MAC SDUからMSCH或いはMAC control elementのコンテンツを読み取ることができる。LCID = ０００１０〜１１１１０である場合、論理チャネルのタイプがMTCHであることを示し、UEは、相応のMACサブヘッダのMACのデータセグメント長に応じて、MAC SDUから必要なサービスデータを読み取ることができる。LCIDが１１１１１である場合、相応のコンテンツをパッディング部分に確定する。
【００３５】
前記MBMSにおける論理チャネル識別子伝送方法を実現するために、本発明は、MBMSにおける論理チャネル識別子伝送システムも提供する。図６に示すように、当該システムはeNB１０とUE ２０とを備える。 eNB１０は、システムブロードキャストメッセージを介して、UE２０へMCCHをキャリーする無線フレーム或いは無線サブフレームを示すことに用いられる。UE ２０は、無線フレーム或いは無線サブフレームからMACヘッダのコンテンツを読み取って、MACヘッダにおけるコンテンツに応じて論理チャネルのタイプを識別し、MAC  SDUからデータを読み取ることに用いられる。
【００３６】
UE ２０は、MACヘッダにおけるMBMSサービス識別子或いはLCIDに基づいて論理チャネルのタイプを識別することにさらに用いられる。識別することは、具体的には、
MBMSサービス識別子が１１１１である場合、相応の論理チャネルのタイプをMCCHに確定し、MBMSサービス識別子が００００〜１１１０である場合、相応の論理チャネルのタイプをMTCHに確定することと、
又は、LCIDが０００００である場合、相応の論理チャネルのタイプをMCCHに確定し、LCIDが００００１である場合、相応の論理チャネルのタイプをMSCH或いはMBMSスケジューリング情報を含むMAC制御要素に確定し、 LCIDが０００１０〜１１１１０である場合、相応の論理チャネルのタイプをMTCHに確定し、LCIDが １１１１１である場合、相応のコンテンツをパッディング部分に確定することとを含む。
【００３７】
UE ２０は、MACサブヘッダにおけるMACのデータセグメント長のフィールドに応じて、論理チャネルのタイプに対応するデータがMAC SDUに存在する位置を確定して、さらに当該位置からデータを読み取ることにも用いられる。
【００３８】
前記ものは、本発明の好ましい実施例だけであるが、本発明の特許請求範囲を限定することに用いられるものではない。
【図１】
2012531135.tif 000004
【図２】
2012531135.tif 000005
【図３】
2012531135.tif 000006
【図４】
2012531135.tif 000007
【図５】
2012531135.tif 000008
【図６】
2012531135.tif 000009
【手続補正書】
【提出日】平成23年12月28日(2011.12.28)
【手続補正１】
【補正対象書類名】特許請求の範囲
【補正対象項目名】全文
【補正方法】変更
【補正の内容】
【特許請求の範囲】
【請求項１】
マルチメディアブロードキャスト及びマルチキャストサービス（MBMS）における論理チャネル識別子伝送方法であって、
発展型ノード（eNB）は、MBMSシステムブロードキャストメッセージを介して、ユーザ端末（UE）へMBMS制御チャネル（MCCH）をキャリーする無線フレーム或いは無線サブフレームを示すステップを含み、
ここで、前記無線フレーム又は無線サブフレームは、UEが前記無線フレーム或いは無線サブフレームからメディアアクセス制御MACヘッダのコンテンツを読み取って、前記MACヘッダのコンテンツに応じて論理チャネルのタイプを識別し、前記MACサービスデータユニット（SDU）からMBMSデータを読み取ることに用いられることを特徴とする伝送方法。
【請求項２】
前記UEは、MACヘッダにおけるMBMSサービス識別子或いは論理チャネル識別子（LCID）に基づいて論理チャネルのタイプを識別することを特徴とする
請求項１に記載のMBMSにおける論理チャネル識別子伝送方法。
【請求項３】
前記UEがLCIDに基づいて論理チャネルのタイプを識別するステップは、具体的には、
前記LCIDが０００００である場合、相応の論理チャネルのタイプをMCCHに確定し、
前記LCIDが１１１１１である場合、相応のコンテンツをパッディング部分に確定することを特徴とする
請求項２に記載のMBMSにおける論理チャネル識別子伝送方法。
【請求項４】
前記MAC SDUからMBMSデータを読み取るステップは、具体的には、
前記MACヘッダにおけるMACデータセグメント長のフィールドに基づいて、論理チャネルのタイプに対応するデータがMAC SDUに存在する位置を確定し、さらに前記位置からデータを読み取ることを特徴とする
請求項３に記載のMBMSにおける論理チャネル識別子伝送方法。
【請求項５】
マルチメディアブロードキャスト及びマルチキャストサービス（MBMS）における論理チャネル識別子伝送方法であって、
発展型ノード（eNB）は、MBMSシステムブロードキャストメッセージを介して、ユーザ端末（UE）へMBMS制御チャネル（MCCH）をキャリーする無線フレーム或いは無線サブフレームを示すステップと、
UEは、前記無線フレーム或いは無線サブフレームからメディアアクセス制御MACヘッダのコンテンツを読み取って、前記MACヘッダのコンテンツに応じて論理チャネルのタイプを識別し、前記MACサービスデータユニット（SDU）からMBMSデータを読み取るステップとを含むことを特徴とする伝送方法。
【請求項６】
前記UEは、MACヘッダにおけるMBMSサービス識別子或いは論理チャネル識別子（LCID）に基づいて論理チャネルのタイプを識別することを特徴とする
請求項５に記載のMBMSにおける論理チャネル識別子伝送方法。
【請求項７】
前記UEがMBMSサービス識別子に基づいて論理チャネルのタイプを識別するステップは、具体的には、
前記MBMSサービス識別子が１１１１である場合、相応の論理チャネルのタイプをMCCHに確定し、
前記MBMSサービス識別子が００００〜１１１０である場合、相応の論理チャネルのタイプをマルチキャスト伝送チャンネル（MTCH）に確定することを特徴とする
請求項６に記載のMBMSにおける論理チャネル識別子伝送方法。
【請求項８】
前記UEがLCIDに基づいて論理チャネルのタイプを識別するステップは、具体的には、
前記LCIDが０００００である場合、相応の論理チャネルのタイプをMCCHに確定し、
前記LCIDが１１１１１である場合、相応のコンテンツをパッディング部分に確定することを特徴とする
請求項６に記載のMBMSにおける論理チャネル識別子伝送方法。
【請求項９】
前記MAC SDUからMBMSデータを読み取るステップは、具体的には、
前記MACヘッダにおけるMACデータセグメント長のフィールドに基づいて、論理チャネルのタイプに対応するデータがMAC SDUに存在する位置を確定し、さらに前記位置からデータを読み取ることを特徴とする
請求項７又は請求項８に記載のMBMSにおける論理チャネル識別子伝送方法。
【請求項１０】
MBMSにおける論理チャネル識別子伝送システムであって、
MBMSシステムブロードキャストメッセージを介して、UEへMCCHをキャリーする無線フレーム或いは無線サブフレームを示すeNBと、
前記無線フレーム或いは前記無線サブフレームからMACヘッダのコンテンツを読み取って、前記MACヘッダのコンテンツに応じて論理チャネルのタイプを識別し、MAC  SDUからMBMSデータを読み取るUEとを備える伝送システム。
【請求項１１】
前記UEは、MACヘッダにおけるMBMSサービス識別子或いはLCIDに基づいて論理チャネルのタイプを識別することにさらに用いられることを特徴とする
請求項１０に記載のMBMSにおける論理チャネル識別子伝送システム。
【請求項１２】
前記UEは、前記MBMSサービス識別子が１１１１である場合、相応の論理チャネルのタイプをMCCHに確定し、前記MBMSサービス識別子が００００〜１１１０である場合、相応の論理チャネルのタイプをMTCHに確定することにさらに用いられることを特徴とする 
請求項１１に記載のMBMSにおける論理チャネル識別子伝送システム。
【請求項１３】
前記UEは、前記LCIDが ０００００である場合、相応の論理チャネルのタイプをMCCHに確定し、前記LCIDが１１１１１である場合、相応のコンテンツをパッディング部分に確定することにさらに用いられることを特徴とする
請求項１１に記載のMBMSにおける論理チャネル識別子伝送システム。
【請求項１４】
前記UEは、前記MACヘッダにおけるMACデータセグメント長のフィールドに応じて、論理チャネルのタイプに対応するデータがMAC SDUに存在する位置を確定し、前記位置からデータを読み取ることにさらに用いられることを特徴とする
請求項１２又は請求項１３に記載のMBMSにおける論理チャネル識別子伝送システム。
【請求項１５】
UEであって、
eNBが送信したMBMSシステムブロードキャストメッセージを受信する受信ユニットと、
前記システムブロードキャストメッセージに指示された、MCCHをキャリーする無線フレーム又は無線サブフレームからMACヘッダのコンテンツを読み取り、且つ前記MACヘッダのコンテンツに応じて論理チャネルのタイプを識別し、MACサービスデータユニット（SDU）からMBMSデータを読み取る読取ユニットとを含むことを特徴とする前記UE。
【国際調査報告】
2012531135.tif 000010
2012531135.tif 000011
2012531135.tif 000012
2012531135.tif 000013
2012531135.tif 000014
2012531135.tif 000015